(57)【要約】【課題】  特に、油圧ショベル等の作業機械に関し、コンプレッサ等の機器に頼ることなく容易に冷却器の清掃作業を行うことができるようにする。【解決手段】  油圧ショベル等の作業機械に搭載されるインタークーラ１，１′の冷却後の給気の出口部３、若しくは、該出口部３に接続された吸気戻り配管１１に、冷却後の該給気を外部に取り出す、給気取り出しポート５，２５が設けられるように構成する。【選択図】        図１
2006258065.tif 000002
【特許請求の範囲】
【請求項１】
インタークーラの冷却後の給気の出口部、若しくは、該出口部に接続された給気戻り配管に、冷却後の該給気を外部に取り出す、給気取り出しポートが設けられている
ことを特徴とする、給気取り出しポート付きインタークーラ。
【請求項２】
該給気取り出しポートには、先端にノズルが付いたホースが連結される
ことを特徴とする、請求項１記載の給気取り出しポート付きインタークーラ。
【請求項３】
該給気取り出しポートには、該給気の供給を調整するバルブが設けられている
ことを特徴とする、請求項１又は２記載の給気取り出しポート付きインタークーラ。
【発明の詳細な説明】
【技術分野】
【０００１】
本発明は、油圧ショベル等の作業機械に用いて好適の、給気取り出しポート付きインタークーラに関するものである。
【背景技術】
【０００２】
一般に、油圧ショベル等の作業機械では、機外から外気を冷却風として吸気し、ラジエータ，オイルクーラ，インタークーラ等の冷却器に通風させて冷却している。ところが、作業機械は、ダム，トンネル，河川，道路等における建設や改修の作業や、ビル，建築物等の取り壊し作業等に使用されるため、作業に伴って発生する粉塵等の異物が多く混入した大気雰囲気下で使用されることが多い。このため、上記の冷却器を冷却する冷却風には異物が含まれることとなる。
【０００３】
このような異物は、冷却器に堆積して冷却性能の低下を招く可能性があり、例えば、特許文献１記載の技術のように、異物防除ネットを設けることによって、これらの冷却器の内部に異物が混入しないようにすることが行なわれている。そして、異物防除ネットを日常点検し、異物防除ネットに堆積した異物を清掃することが行なわれている。また、このような異物防除ネットを装備したとしても冷却器自体の異物堆積を皆無にすることはできないので、冷却器自体を清掃することも必要になる。
【０００４】
清掃方法としては、異物防除ネット及び冷却器に高圧空気（圧縮エア）を吹き付けることにより冷却器に付着堆積した異物を吹き払い除去する方法が一般的であり、また、このような圧縮エアを生成するには、コンプレッサ等の機器を使用するのが一般的である。
【特許文献１】特許第３５５３７８２号公報
【発明の開示】
【発明が解決しようとする課題】
【０００５】
しかしながら、作業機械は、上記のように様々な作業環境で使用されるので、冷却器類の清掃のために、圧縮エアを生成するコンプレッサ等の機器を作業現場に搬入し用意することは容易ではなく、清掃を行なえず、冷却性能が低下した状態での使用を余儀なくされる場合も発生する。
そこで、コンプレッサ等の機器に頼ることなく、冷却器類の清掃を行なうことができるような技術の開発が要望されている。
【０００６】
本発明はこのような課題に鑑み案出されたもので、コンプレッサ等の機器に頼ることなく容易に冷却器の清掃作業を行うことができるようにした、給気取り出しポート付きインタークーラを提供することを目的とする。
【課題を解決するための手段】
【０００７】
上記目的を達成するために、請求項１記載の本発明の給気取り出しポート付きインタークーラは、インタークーラの冷却後の給気の出口部、若しくは、該出口部に接続された給気戻り配管に、冷却後の該給気を外部に取り出す、給気取り出しポートが設けられていることを特徴としている。
請求項２記載の本発明の給気取り出しポート付きインタークーラは、請求項１記載の給気取り出しポート付きインタークーラにおいて、該給気取り出しポートには、先端にノズルが付いたホース（エアツール）が連結されることを特徴としている。
【０００８】
請求項３記載の本発明の給気取り出しポート付きインタークーラは、請求項１又は２記載の給気取り出しポート付きインタークーラにおいて、該給気取り出しポートには、該給気の供給を調整するバルブが設けられていることを特徴としている。
【発明の効果】
【０００９】
請求項１記載の本発明の給気取り出しポート付きインタークーラによれば、インタークーラの冷却後の給気の出口部、若しくは、該出口部に接続された給気戻り配管に、冷却後の給気を外部に取り出すためのポートが新たに設けられるので、インタークーラの冷却後の給気（圧縮エア）を取り出して利用することができる。
請求項２記載の本発明の給気取り出しポート付きインタークーラによれば、ポートに、先端にノズルが付いたホース（エアツール）が連結されるので、コンプレッサ等の機器に頼ることなく、インタークーラの圧縮エアを利用して、エアツールにより冷却器等の清掃作業をすることができる。
【００１０】
請求項３記載の本発明の給気取り出しポート付きインタークーラによれば、ポートに給気（圧縮エア）の供給を調整するバルブが設けられているので、エアツールを使用しない場合に、圧縮エアがポートから漏れるのを防止することができる。
【発明を実施するための最良の形態】
【００１１】
以下、図面により、本発明の実施の形態について説明する。
〔第１実施形態〕
図１及び図２は本発明の第１実施形態に係る給気取り出しポート付きインタークーラを示し、図１はその斜視図、図２は図１の要部拡大図である。
本実施形態では、作業機械の上部旋回体に、低燃費，排ガスＮＯｘ濃度の低減，出力の向上等を目的とした、図１に示すインタークーラ１が搭載される。
【００１２】
インタークーラ１は、周知のように、入口タンク部２と出口タンク部３とそれらを連通するコア部４とから構成されている。コア部４は、図には現われていないが、入口タンク部２から出口タンク部３へ過給空気（給気）を流す多数のチューブと冷却フィンとをそなえている。そして、エンジンへ供給される給気の冷却器として、ターボチャージャから送出された給気をエンジン本体に送る空気管路に設けられて、入口タンク部２から入った比較的高温の給気が、チューブ内を通過している間に冷却されて、出口タンク部３から比較的低温の給気となって出てくるようになっている。
【００１３】
ここで、本実施形態の特徴として、インタークーラ１の低温側である出口タンク部３に、給気（圧縮エア）を外部に取り出すポート５が新たに配設される。そして、このポート５にホース６の一端が着脱自在に接続され、ホース６の他端にはエアジェットノズル７が取り付けられて、エアジェットノズル７先端から圧縮エアを噴出させて、ホース６とエアジェットノズル７とからなるエアツール８により、冷却器等の清掃が行なえるようになっている。なお、ポート５の径は、清掃に必要な圧縮エアの流量に応じた適宜の径にする。
【００１４】
また、ポート５には圧縮エアの供給を調整するためのバルブが設けられて、図２に示すように、バルブのつまみ９を操作することで、通常の作業時にはバルブを閉じ、清掃時にはバルブを開けるように構成している。そのため、エアツール８を使用しない通常の作業時に、圧縮エアがポート５から漏れないようになっている。
さらに、一般に、作業機械のオペレータ室には、作業の種類やアタッチメントの種類に応じて油圧パワーを最適にコントロールするために、その出力を切り替える作業モード選択機能が備えられているが、本実施形態では、この作業モードとして、清掃モードが新たに設けられている。この清掃モードでは、インタークーラ１の出口圧力を確保するために、エンジン回転数を定格回転数に設定する。この場合、エンジン回転軸に直結した冷却ファンは、この定格回転数に比例したファン回転数で回転するが、冷却ファンの回転を調整できるものの場合、ファン回転数を高回転に設定して、給気温度をできるだけ下げるようにすることが好ましい。そして、作業者は、エアツール８による清掃時にはこの清掃モードを選択して、エンジン回転数を定格回転数にすることで、比較的高い圧力を得て、エアツール８に利用できるようになっている。
【００１５】
本発明の第１実施形態にかかる給気取り出しポート付きインタークーラは上述のように構成されているので、以下のような作用・効果がある。
インタークーラ１の出口タンク部３にポート５が新たに配設されるので、ポート５にエアツール８を接続してインタークーラ１の圧縮エアを利用することで、コンプレッサ等の機器に頼ることなく容易にラジエータやオイルクーラ等の冷却器の清掃作業を行なうことができる。
【００１６】
また、清掃時には、作業者は清掃モードを選択することにより、１７０〜１５０ｋｐａ程度の比較的高い圧力の圧縮エアを清掃に利用することができる。さらに、冷却ファンの回転数も上げることができるので、圧縮エアの温度を可能な限り（例えば４０度程度までに）低くすることができて、清掃作業者の安全に十分に配慮することができる。
【００１７】
〔第２実施形態〕
次に、図３を参照して、本発明の第２実施形態について説明する。図３は、本発明の第２実施形態に係る給気取り出しポート付きインタークーラ及びインタークーラ周辺を示した模式的な要部上面図ある。なお、第１実施形態のものと同じ部材等は、第１実施形態と同一の符号で説明する。
【００１８】
本実施形態では、給気を外部に取り出すポートが配設される部分が、第１実施形態とは異なるものである。
本実施形態のインタークーラ１′も、第１実施形態のインタークーラ１と同様に、作業機械の上部旋回体に搭載され、また、入口タンク部２と出口タンク部３とコア部４とから構成されている（図１参照）。ただし、第１実施形態と異なり、インタークーラ１´の出口タンク部３にポートは配設されていない、周知のインタークーラである。
【００１９】
図３に示すように、本実施形態のインタークーラ１′は、入口タンク部２にその一端が接続された入口配管１０と、出口タンク部にその一端が接続された出口配管１１とを有して構成されている。入口配管１０の他端には、ターボチャージャ１４が配置されており、ターボチャージャ１４には、配管１６を通じて図示しないエアクリーナから矢印Ａ方向に給気が吸入される。一方、出口配管１１の他端には、エンジン１３の図示しない吸気ポートが接続されている。また、エンジン１３には、エンジン１３からの排気ガスを外部に排出するためのマフラ１５が配設されており、排気ガスをターボチャージャ１４に送ってタービン駆動に用いてからマフラ１５で消音処理して排出するようになっている。
【００２０】
ここで、第１実施形態で出口タンク部３にポート５が設けられたのに対して、本実施形態では、出口配管１１に給気（圧縮エア）を外部に取り出すポート２５が配設される。そして、このポート２５にホース６とエアジェットノズル７とからなるエアツール８が着脱自在に接続されて、出口配管１１の低温給気を利用して、冷却器等の清掃が行なえるようになっている。また、ポート２５には、給気の供給を調整するためのバルブ２９が設けられて、バルブ２９のつまみを操作することで、通常の作業時にはバルブを閉じ、清掃時にはバルブを開けて、エアツール８を使用しない通常の作業時に、給気がポート２５から漏れないようになっている。
【００２１】
本発明の第２実施形態にかかる給気取り出しポート付きインタークーラは上述のように構成されているので、以下のような作用・効果がある。
エアクリーナを介してターボチャージャ１４に吸入され、ターボチャージャ１４の断熱圧縮によって温度上昇した高温給気は、入口配管１０を通って、インタークーラ１′の入口タンク部２に送出される。そして、高温給気は、インタークーラ１′のコア部を通過する間に、エンジンに取り付けられた冷却ファン１２により供給された冷却風で冷却されて低温の吸気となり、出口タンク部３、出口配管１１を通って、エンジン１３に送られる。
【００２２】
このように、ターボチャージャ１４から送出された給気をエンジン１３に送る空気管路の一部である出口配管１１に、ポート２５が新たに配設されるので、ポート２５にエアツール８を接続してインタークーラ１′の圧縮エアを利用することで、コンプレッサ等の機器に頼ることなく容易にラジエータやオイルクーラ等の冷却器の清掃作業を行なうことができる。
【００２３】
また、インタークーラ１′本体の形状を変化させることなく（つまり、既存のインタークーラをそのまま使用して）、出口配管１１部分を改良すれば良いので、より安価にポート２５を設けることができ、コンプレッサ等の機器に頼ることなく容易にラジエータやオイルクーラ等の冷却器の清掃作業を行なうことができる。
なお、出口配管１１は一般に、上流側の、耐熱性に優れたゴム材質等からなるホース部分１１ａと、下流側のスチール部分１１ｂとから構成されている。このような場合、ポート２５は、下流側のスチール部分１１ｂに設けることが好ましい。
【００２４】
〔その他〕
以上、本発明の実施形態について説明したが、本発明は、上記実施形態に限定されず、本発明の趣旨を逸脱しない範囲で種々変形することが可能である。
また、本実施形態では、本発明の給気取り出しポート付きインタークーラを作業機械に搭載した場合について説明したが、バスやトラックや普通乗用車等などにも適用することができる。
【図面の簡単な説明】
【００２５】
【図１】本発明の第１実施形態に係る給気取り出しポート付きインタークーラを示す斜視図である。
【図２】本発明の第１実施形態に係る給気取り出しポート付きインタークーラのポート部分の拡大図である。
【図３】本発明の第２実施形態に係る給気取り出しポート付きインタークーラ及びインタークーラ周辺を示す、模式的な要部上面図である。
【符号の説明】
【００２６】
１，１′  インタークーラ
２  入口タンク部
３  出口タンク部（出口部）
４  コア部
５，２５  ポート
６  ホース
７  ノズル
８  エアツール
９，２９  バルブのつまみ
１０  入口配管
１１  出口配管（給気戻り配管）
１１ａ  ホース部分
１１ｂ  スチール部分
１２  冷却ファン
１３  エンジン
１４  ターボチャージャ
１５  マフラ
１６  配管
【図１】
2006258065.tif 000003
【図２】
2006258065.tif 000004
【図３】
2006258065.tif 000005